(57)【特許請求の範囲】
【請求項１】
流路の上流側から下流側へ超音波の送受信を繰返し行った時の第１伝搬時間計測と流路の下流側から上流側へ超音波の送受信を繰返し行った時の第２伝搬時間計測とを１つの計測単位とする送受信繰返手段と、前記送受信繰返手段の計測を複数回繰り返す計測繰返手段と、前記送受信繰返手段と前記計測繰返手段とで繰り返された時の総第１伝搬時間および総第２伝搬時間から流量を検出する流量検出手段と、前記流量検出手段が計測した瞬時流量値を所定時間において積算する流量積算手段と、前記送受信繰返手段と前記計測繰返手段の繰り返し回数を変更して高精度に流量を計測する高精度流量計測手段と、前記送受信繰返手段と前記計測繰返手段の繰り返し回数を変更して低精度に流量を計測して消費電力を低減する低消費電力計測手段と、所定時間内において計測された前記流量積算手段の積算値が所定流量値以上になった時に、高精度流量計測手段に切り替える計測切替手段とを具備し、前記高精度流量計測手段および低消費電力流量計測手段は、前記送受信繰返手段による送受信繰返し回数と計測繰返手段の計測回数とが以下（１）、（２）のように設定されていることを特徴とする流量計。
（１）高精度流量計測手段：送受信繰返手段による送受信繰返し回数を少なくし、計測繰返手段による計測回数を多くする。
（２）低消費電力流量計測手段：送受信繰返手段による送受信繰返し回数を多くし、計測繰返手段による計測回数を少なくする。
【請求項２】
高精度流量計測手段で計測した流量値によって流量積算値が正常か否かを判定する流量異常判定手段を備えた請求項１記載の流量計。
【請求項３】
所定時間を越えても積算流量値が所定流量を越えない時、積算流量値をクリアする流量積算手段を備えた請求項１記載の流量計。
【請求項４】
流量異常判定手段が正常ではないと判断した時、積算流量値をクリアする流量積算手段を備えた請求項３記載の流量計。
【請求項５】
流量異常判定手段が正常ではないと判断した時、積算流量値をクリアする流量積算手段と、クリアする前の積算流量値を記憶しておく流量記憶手段を備えた請求項３記載の流量計。
【請求項６】
積算流量を表示する流量表示手段を備え、前記流量表示手段の最下位の桁の単位を所定流量とした請求項１記載の流量計。
【請求項７】
所定時間と積算流量値と計測手法の変更回数から異常を判別する計測異常判別手段と、前記計測異常判別手段が異常を判別したとき異常警告を表示する警告表示手段を備えた請求項３記載の流量計。
【請求項８】
電池を電源とした請求項１記載の流量計。
【発明の詳細な説明】
【技術分野】
【０００１】
本発明は、超音波を利用して空気、ガス、水などの流体の流量を計測する超音波式の流量計に関するものである。
【背景技術】
【０００２】
従来この種の超音波式流量計は、図９に示すように流路内１に備えた一対の音響トランスジューサ２、３を設けて実現する超音波式流速測定手段４と、前記超音波式流速測定手段４の測定間隔を変更する測定間隔変更手段５と、流路内の圧力を検知する圧力検知手段６と、圧力判定手段７と、判定値調整手段８と、脈波検出手段９とで構成される。
【０００３】
ここで、１０はランダム時間発生手段、１１は流量計測手段、１２は流量積算手段、１３は表示手段、１４は遮断弁手段、１５は弁制御手段である（例えば、特許文献１参照）。
【０００４】
上記構成において、流路中の流体の脈波を監視し、予め定めた判定値より大きい脈波を検出した時、測定間隔を短くするようにして計測精度をあげて流速を測定するようにしたものである。
【０００５】
また、図１０に示すように、計測流量部１６と、流量値積算部１７と、第１のバッファ１８と、第２のバッファ１９と、流量積算値記憶部２０とから構成されているものも知られている（例えば、特許文献２参照）。
【０００６】
上記構成において、流体中の脈動の発生に起因して発生する流量計測誤差を、第１バッファ１８と第２バッファ１９を用いて解消するものである。
【０００７】
すなわち、第１バッファ１８では、流量計測部１６から送られてくる流量値を積算してカウンタ値をインクリメントしていき、その積算値が所定の積算桁上げしきい値以上に達すると、流量積算値を１単位量ずつカウントアップすると共に、そのとき積算桁上げしきい値を超えた剰余の値を切り捨ててカウンタ値をゼロリセットする。
【０００８】
そしてその切り捨てられた剰余の値は第２のバッファ１９が積算可能に保持しておき、所定のタイミングで流量積算値のカウントアップに反映させ加算することとしていたものである。
【０００９】
よって、脈動による流量値が発生しても、第１バッファが吸収し、すぐに１単位量のカウントアップには至らないので、脈動時の流量計測誤差を吸収できる。
【特許文献１】特開平１１−２５８０１８号公報
【特許文献２】特開２００１−３４９７５２号公報
【発明の開示】
【発明が解決しようとする課題】
【００１０】
しかしながら前記従来の構成では、計測間隔を短くして計測すると計測に使用する消費電力が多くなり、電池で使用する場合には長時間の使用に耐えられないという課題があった。
【００１１】
また、バッファの方法では、積算流量のカウントアップが遅れるという課題と、剰余の値だけが残っていく第２バッファの値を最終的には加算しているので、脈動による誤差を
加算していくことになり、累積誤差は解消できなく精度も悪くなるという課題があった。
【００１２】
本発明はこのような従来の課題を解決するもので、計測精度の向上と省電力化を高め、加えて、積算流量値の異常を検出して高精度計測を可能とした流量計を提供することを目的とするものである。
【課題を解決するための手段】
【００１３】
上記課題を解決するために本発明は、流路の上流側から下流側へ超音波の送受信を繰返し行った時の第１伝搬時間計測と流路の下流側から上流側へ超音波の送受信を繰返し行った時の第２伝搬時間計測とを１つの計測単位とする送受信繰返手段と、前記送受信繰返手段の計測を複数回繰り返す計測繰返手段と、前記送受信繰返手段と前記計測繰返手段とで繰り返された時の総第１伝搬時間および総第２伝搬時間から流量を検出する流量検出手段と、前記流量検出手段が計測した瞬時流量値を所定時間において積算する流量積算手段と、前記送受信繰返手段と前記計測繰返手段の繰り返し回数を変更して高精度に流量を計測する高精度流量計測手段と、前記送受信繰返手段と前記計測繰返手段の繰り返し回数を変更して低精度に流量を計測して消費電力を低減する低消費電力計測手段と、所定時間内において計測された前記流量積算手段の積算値が所定流量値以上になった時に、高精度流量計測手段に切り替える計測切替手段とを具備し、前記高精度流量計測手段および低消費電力流量計測手段は、前記送受信繰返手段による送受信繰返し回数と計測繰返手段の計測回数とを以下（１）、（２）のように設定したものである。
【００１４】
（１）高精度流量計測手段：送受信繰返手段による送受信繰返し回数を少なくし、計測繰返手段による計測回数を多くする。
【００１５】
（２）低消費電力流量計測手段：送受信繰返手段による送受信繰返し回数を多くし、計測繰返手段による計測回数を少なくする。
【発明の効果】
【００１６】
本発明の流量計によれば、流動変動があっても計測精度を大いに高めることができるものである。
【発明を実施するための最良の形態】
【００１７】
本発明は、流路の上流側から下流側へ超音波の送受信を繰返し行った時の第１伝搬時間計測と流路の下流側から上流側へ超音波の送受信を繰返し行った時の第２伝搬時間計測とを１つの計測単位とする送受信繰返手段と、前記送受信繰返手段の計測を複数回繰り返す計測繰返手段と、前記送受信繰返手段と前記計測繰返手段とで繰り返された時の総第１伝搬時間および総第２伝搬時間から流量を検出する流量検出手段と、前記流量検出手段が計測した瞬時流量値を所定時間において積算する流量積算手段と、前記送受信繰返手段と前記計測繰返手段の繰り返し回数を変更して高精度に流量を計測する高精度流量計測手段と、前記送受信繰返手段と前記計測繰返手段の繰り返し回数を変更して低精度に流量を計測して消費電力を低減する低消費電力計測手段と、所定時間内において計測された前記流量積算手段の積算値が所定流量値以上になった時に、高精度流量計測手段に切り替える計測切替手段とを具備し、前記高精度流量計測手段および低消費電力流量計測手段は、前記送受信繰返手段による送受信繰返し回数と計測繰返手段の計測回数とを以下（１）、（２）のように設定したものである。
【００１８】
（１）高精度流量計測手段：送受信繰返手段による送受信繰返し回数を少なくし、計測繰返手段による計測回数を多くする。
【００１９】
（２）低消費電力流量計測手段：送受信繰返手段による送受信繰返し回数を多くし、計
測繰返手段による計測回数を少なくする。
【００２０】
このように、所定時間内で流量積算手段の積算値が所定流量値以上になった時に、高精度流量計測手段に切り替えることで、誤差を少なく計測することができる。
【００２１】
すなわち、所定時間内で１Ｌ／ｈのような微小流量が計測された時、誤差の累積が発生していると判断し、高精度計測手段で瞬時流量を計測してみる。そうすることで、１Ｌ／ｈが計測されれば、カウントアップすればよいし、計測されなければ、１Ｌ／ｈは誤差としてクリアすることができる。このような判断を行いながら計測することで精度の高い計測が実現できるのである。
【００２２】
そして、高精度流量計測手段で計測した流量値によって流量積算値が正常か否かを判定する流量異常判定手段、所定時間を越えても積算流量値が所定流量を越えない時、積算流量値をクリアする流量積算手段、或いは、流量異常判定手段が正常ではないと判断した時、積算流量値をクリアする流量積算手段を設けることも考えられ、特に、前記流量異常判定手段が正常ではないと判断した時、積算流量値をクリアする流量積算手段と、クリアする前の積算流量値を記憶しておく流量記憶手段を付加しておくのが望ましい。
【００２３】
また、積算流量を表示する流量表示手段を備え、前記流量表示手段の最下位の桁の単位を所定流量とすることも考えられる。
【００２４】
さらに、所定時間と積算流量値と計測手法の変更回数から異常を判別する計測異常判別手段と、前記計測異常判別手段が異常を判別したとき異常警告を表示する警告表示手段を備付けてもよい。勿論、電源は電池を使用する。
【００２５】
以下、本発明の実施の形態について図面を参照して説明する。
【００２６】
（実施の形態１）
図１において、２１は流体を流す流路、２２は超音波を送受信するために流路の上流側に設置された音波送受信手段、２３は超音波を送受信するために流路の下流側に設置された音波送受信手段、２４は音波の送受信を繰り返して行う繰返手段、２５は前記繰返手段２４で繰返し行われる音波の伝搬時間を計測する計時手段、２６は前記計時手段２５で計測された時間情報を基に流量を検出する流量検出手段である。
【００２７】
また、２７は音波の送受信の繰返し回数を変更する繰返し回数変更手段、２８は所定条件によって繰返し回数を都度変更する超音波式流量計測手段である。
【００２８】
そして、超音波式流量計測手段２８は、繰返し回数変更手段２７によって繰返し回数を増加して高精度流量計測手段を実現し、逆に繰返し回数を減少して低消費電力流量計測手段を実現するものであり、この計測手段の計測切替えを行う手段が計測切替手段２９である。
【００２９】
ここで、３０は変動検出手段、３１は流量判別手段、３２は流量積算手段、３３は流量異常判定手段、３４は警告表示手段、３５は電池、３６は流量記憶手段、３７は流量表示手段、３８は計測異常判別手段である。
【００３０】
以上のような構成の流量計の計測原理について説明する。
【００３１】
図１に示す流路の上流側の音波送受信手段２２から下流側の音波送受信手段２３に向かって音波が伝搬する伝搬時間Ｔ１を計測すると、伝搬時間Ｔ１は、式（１）のようになる
。
【００３２】
Ｔ１＝Ｌ／（Ｃ＋Ｖｃｏｓθ）          （１）
また、下流側の音波送受信手段２３から上流側の音波送受信手段２２に向かって伝搬する伝搬時間Ｔ２を計測すると、伝搬時間Ｔ２は、式（２）のようになる。
【００３３】
Ｔ２＝Ｌ／（Ｃ−Ｖｃｏｓθ）          （２）
ここで、Ｖは流路内の流速、Ｌは音波送受信手段間の距離、θは流路に対する音波送受信手段の対向する角度、Ｃは音速である。
【００３４】
そして、Ｔ１とＴ２の逆数の差をとり、式を変形するとＴ１、Ｔ２から流速Ｖは、式（３）のように求めることができる。
【００３５】
Ｖ＝（Ｌ／２ｃｏｓθ）・（１／Ｔ１−１／Ｔ２）            （３）
そして、この流速Ｖに流路の断面積などを考慮して流量Ｑを算出することができるのである。以上は、１回の送受信の計測で説明しているが、繰返手段２４で伝搬時間を繰り返して計測する方法で積算伝搬時間を求めることによって、より精度よく流速Ｖを求めることができることは明白であろう。
【００３６】
しかしながら、この計測は上流側からの送信時の流速Ｖ１と、下流側からの送信時流速Ｖ２が同じであることが条件である。実際には脈動のように流量変動を発生している場合がある。もし、図２のように流速に変動があった場合、計測している時間が短いと、上流側からの伝搬時間を測定している時の平均流速Ｖ１は、下流側からの伝搬時間を測定しているときの平均流速Ｖ２とは同じにはならず、計測誤差を生じることになる。
【００３７】
そのため図３のように、繰り返し回数を多くして変動の１周期以上を計測範囲とすることによって、流速を平均化して伝播時間を計測することで、流速Ｖ１とＶ２が同じような状態になり、精度を向上、維持することができる。この原理を利用した方法が繰返し回数を増加して実現する高精度流量計測手段である。
【００３８】
また、繰返し回数が少ないと動作時間が短いので処理に使用される消費電力が少なくなるのは明白である。このように繰返し回数を少なくして消費電力を低減する計測方法が低消費電力流量計測手段である。
【００３９】
次に、図４と図５に示すフローチャートを用いて動作の流れを説明する。図４に示すように流量計測は、通常、低消費電力流量計測手段による低消費電力モードで計測が行われる（ＳＴＥＰ１０）。
【００４０】
そして、計測された瞬時流量値から変動検出手段３０により流量変動が判定される（ＳＴＥＰ１１）。流量変動がない場合は、流量積算処理（ＳＴＥＰ１２）を経て低消費電力モード（ＳＴＥＰ１０）で継続して流量計測が行われる。
【００４１】
ここで、変動検出手段３０（ＳＴＥＰ１１）について説明する。例えば、変動検出手段３０は、流量検出手段２６により検出された瞬時流量値から、所定時間内の最大流量値Ｑｍａｘと、所定時間内の最小流量値Ｑｍｉｎの差（Ｑｍａｘ−Ｑｍｉｎ）を求めて流量変動を検出する。
【００４２】
そして、その流量変動（Ｑｍａｘ−Ｑｍｉｎ）が、所定流量としての１０リッター／時間以上の時は、変動があると検出し、１０リッター／時間未満の時は、変動がないと変動検出手段３０が検出するのである。
【００４３】
次に、このような変動検出手段３０により変動が検出された場合、流量判別手段３１により流量判別が行われる（ＳＴＥＰ１３）。
【００４４】
流量判別手段３１は、流量範囲を大流量範囲（例えば、３０００リッター／時間以上）と判別すると、繰返し回数を最適な最小回数（例えば８回から１２８回、最適は６４回）に減少して低消費電力モードで計測する。
【００４５】
また、流量判別手段３１が流量範囲を小流量範囲（例えば、３０００リッター／未満）と判別すると、繰返し回数を最適な回数（例えば６４から５１２回、最適は２５２回）に増加して高精度流量計測手段として高精度計測モードで継続して計測を行うことができる（ＳＴＥＰ１４）。
【００４６】
この高精度計測モード時においても、変動検出（ＳＴＥＰ１１）が繰返し行われ、変動がなくなったときは、流量積算処理（ＳＴＥＰ１２）を経て低消費電力計測モード（ＳＴＥＰ１０）に戻ることにしている。
【００４７】
また、大流量範囲と判別した場合において、最初から低消費電力モードで計測している場合は、繰返し回数は変更しない。
【００４８】
そして、それぞれの計測モードにおいて計測した流量値は、流量積算手段３２によって積算処理が行われる。
【００４９】
図５にその積算処理のフローチャートを示す。積算処理は、所定時間内の流量増加が所定時間内（例えば、所定時間１２分内）で所定流量値以上（例えば、所定流量１リッター以上）になったか否かを判別して（ＳＴＥＰ２０）、高精度計測モードで計測を行う（ＳＴＥＰ２１）ものである。
【００５０】
所定流量値未満の場合は、その所定時間内の積算値をクリア（ＳＴＥＰ２２）して、計測に異常かないか否かを判断して（ＳＴＥＰ２３）計測モードに戻る（ＳＴＥＰ２４）。
【００５１】
これにより、脈動のような流量変動時の計測誤差値や計測分解能以下の微小流量値の積算誤差による積算流量値のカウントアップを防止することができるのである。
【００５２】
また、蓄積してきた積算値と、新たに高精度計測モードで計測した瞬時流量値とを、同じ所定時間当たりに換算して比較し、その積算値が正しいか否かを流量異常判定手段３３が判定する（ＳＴＥＰ２５）。
【００５３】
異常なしと判定された時、積算値は加算され（ＳＴＥＰ２６）、計測モードへ戻る（ＳＴＥＰ２４）。
【００５４】
しかし、異常があると判定されたときは、現在の流量値は記憶手段に記憶され（ＳＴＥＰ２７）、その流量値と積算値はクリアされる（ＳＴＥＰ２８）。
【００５５】
流量計の警告表示手段３４には異常の警告表示が行われ（ＳＴＥＰ２９）、高精度計測モードへ戻る（ＳＴＥＰ３０）。
【００５６】
すなわち、クリアする前の所定時間当たりの積算値を流量記憶手段３６に記憶しておくことによって、異常が判定されるごとにその記憶手段に流量値を加算しつつ記憶していくことができ、異常時の積算流量を知ることができる。
【００５７】
例えば、この記憶手段の積算値がゼロに収束していくようであれば、異常の現象はランダムに発生していると考えられ、処理上短時間で判定している故の誤差と考えられるので、将来的な問題は少ないと学習することができる。
【００５８】
また、例えば２秒に１回の測定であれば、１回の計測で１リッターを超える流量は１８００リッター／時間になる。
【００５９】
通常、こんなに大流量が一度に流れることはないので、１リッターの積算流量を超えるまでに、２回、３回の計測を繰り返すことになる。脈動流のようにランダムな流れの場合は、おおよそプラス側、マイナス側の流量が繰り返されることになり、平均するとゼロに収束することになる。
【００６０】
また、計測タイミングも２秒に１回ではあるが、僅かにタイミングをランダム化して計測しているので、おおよそプラス側、マイナス側の流量が繰り返されることになる。よって、積算を続けていけば、通常はゼロに収束していくはずである。
【００６１】
しかし、この流量記憶手段３６の積算値がゼロに収束しない場合、何らかの改善が必要であることがわかり、記憶手段に積算される積算値から学習していくこと（ＳＴＥＰ３１）で、流量計の設置された環境に対処することができる。
【００６２】
例えば、記憶手段の積算値がゼロに収束していくような時期であれば、所定時間の１２分を長くすることでカウントアップは防止できるし、ゼロに収束しない時期であれば、１リッターの量を増やして短時間でカウントアップしないように修正することでカウントアップは防止できる。このように学習しながら所定時間や所定流量を修正することで、誤計測を防止することができる。
【００６３】
そして、変動なしの時の異常か、変動ありの時の異常かまで表示することによって、流路の異常状態をつかむことができ、異常が確認された後、早期に対応をとり異常を改善することが可能である。
【００６４】
異常が確認されると、さらに精度よく計測するために高精度計測モードへ戻るので、消費電力が多くなり電池３５の寿命を短くすることがあるので、警告表示により早期に流路の改善が必要であることを促すわけである。
【００６５】
さらに、計測異常判別手段３８の計測異常判別処理（ＳＴＥＰ２３）は、流量のカウントアップを判別する所定時間（例えば、１２分）とその所定時間内の積算流量値（例えば、１リッター）と計測手法の変更回数から異常を判別する。
【００６６】
例えば、所定時間になる前に頻繁に所定積算流量の１リッターを超える場合や、計測手法が低消費電力モードと高精度計測モードの計測手法変更が頻繁（例えば、１日に１００回以上）に行われる場合、明らかに正常ではないので、計測異常判別手段３８が異常と判定して、警告表示手段３４に異常警告を表示する。
【００６７】
これによって、早期に計測モードの切替異常を検出でき、安定した流量計測を実現して計測精度を向上することができる。
【００６８】
なお、計測処理を整理すると図６に示すような階層構造に示すこともできる。また、超音波式流量計測手段で説明したが、フローセンサやフルイディク流量計、または膜式メータのような機械式流量計などの流量計を用いて複数の流量計測手法を用いた場合も、機械
式流量計を低消費電力流量計測手段とし、フローセンサを高精度流量計測手段として、低消費電力化と高精度化の両立を実現できることは容易に類推できる。
【００６９】
以上は大流量と小流量の２分類で説明したが、大流量、中流量、小流量の３分類以上に細かく分けて行えば、より一層精度を向上できる。さらに、積算流量が所定流量以上として説明したが、所定流量になる前に検出することでも同様である。
【００７０】
そして、変動として説明したが、ガス配管に発生する脈動流の計測に対して効果があることは明白である。
【００７１】
また、ガス流を計測するガスメーターの場合、ガス漏洩やガス器具の使用状態を把握して安全管理する保安機能が付加されているが、それらの保安機能からの要求により高精度流量計測手段が処理される場合もあり得る。
【００７２】
異常を判別した場合は、警告表示のみならずガス遮断を行うようにガス遮断手段を装備しておくことも容易である。
【００７３】
さらに、電池を駆動電源としているため、電池の消耗状況に応じて低消費電力流量計測手段に切り替えることによって、長寿命化を実現することも十分考えられ、電池交換までの間は保安機能優先で安全メーターとして利用できる。
【００７４】
（実施の形態２）
実施の形態２について、図７を用いて説明する。実施の形態１と異なる点は、超音波の送受信を繰返し行う送受信繰返手段３９と、前記送受信繰返手段３９の計測をさらに繰返し行う計測繰返手段４０を備えたことにある。
【００７５】
すなわち、流路２１の上流側から下流側への送受信を繰返し行った時の第１伝搬時間計測Ｔ１と、下流側から上流側への送受信を繰返し行った時の第２伝搬時間計測Ｔ２を１つの計測単位とする送受信繰返手段３９と、前記送受信繰返手段３９の計測を少なくとも１回以上繰り返す計測繰返手段４０と、前記送受信繰返手段３９と前記計測繰返手段４０で繰り返された時の総第１伝搬時間ΣＴ１と総第２伝搬時間ΣＴ２から流量を検出する流量検出手段４１と、繰返し回数変更手段２７によって前記送受信繰返手段３９の送受信繰返し回数Ｎと前記計測繰返手段４０の計測繰返し回数Ｍとを変更して高精度流量計測手段と低消費電力流量計測手段を実現する超音波式流量計測手段４２を備えたしたものである。
【００７６】
具体的には、高精度流量計測手段は、繰返し回数変更手段２７によって送受信繰返し回数Ｎは少なく（例えば、１回から１６回で、最適には２回）し、逆に計測繰返し回数Ｍを多く（例えば、１６回から１０２４回で、最適には１２６回）してトータルの積Ｎ＊Ｍが多くなるように設定する。
【００７７】
このような設定とすることで、時間変化の激しい脈動流速の変化を細かく計測し、かつ長時間計測することで高精度化を実現するものである。
【００７８】
また、低消費電力流量計測手段は、繰返し回数変更手段２７によって送受信繰返し回数Ｎを多く（例えば、８回から５１２回、最適には６４回）して、計測繰返し回数Ｍを少なく（例えば、１回から８回、最適には１回）して短時間で計測が完了するようにして実現するものである。この計測手段の計測切替えを行う手段が計測切替手段２９である。
【００７９】
本実施の形態の構成によれば、図８に示すように、送受信繰返し回数を少なくして計測することで、上流からの伝搬時間と下流からの伝搬時間を計測するタイミングが近接でき
、時間変化が激しく起こる脈動においても、計測精度を上げることができる。
【００８０】
そして、送受信の計測単位を計測繰返手段４０によって繰返し行うことできるとともに、長時間の計測が行えるので、変動する伝搬時間を平均化することができ、さらに精度を向上することができる。
【００８１】
なお、計測単位の繰返しは待ち時間を介して連続的に行うものであるが、この待ち時間を調整して総計測時間を調整することで計測精度を向上することもできる。
【００８２】
待ち時間を短くすることで計測がより精密になり高精度計測が行えることは明白である。そして、送受信繰返し回数Ｎと計測繰返し回数Ｍを組み合わせることによって、低消費電力モードと高精度計測モードの中間計測モードを作り出すこともできる。
【００８３】
例えば、脈動が大きく、流量範囲が小流量の範囲の場合、少し精度の高い計測でかつ消費電力も抑えた計測モードとして中間計測モードをいくつも実現することができる。
【００８４】
さらに、繰返し回数を変えて脈動の周期に合わせることで、脈動の影響を極力低減することができ、流量計測精度を向上することも可能である。
【産業上の利用可能性】
【００８５】
以上のように本発明にかかる流量計は、流動変動があっても計測精度を大いに高め得るもので、ガスなどの気体流体から水などの液体流体まで幅広く活用できるものである。
【図面の簡単な説明】
【００８６】
【図１】本発明の実施の形態１の流量計のブロック図
【図２】同流量計の原理説明図
【図３】同流量計の原理説明図
【図４】同流量計のフローチャート
【図５】同流量計のフローチャート
【図６】同流量計のフローチャート
【図７】本発明の実施の形態２を示すブロック図
【図８】同流量計の原理説明図
【図９】従来の流量計のブロック図
【図１０】従来の他の流量計のブロック図
【符号の説明】
【００８７】
２１  流路
２２、２３  音波送受信手段
２４  繰返手段
２５  計時手段
２６  流量検出手段
２７  回数変更手段
２８  超音波式流量計測手段
２９  計測切替手段
３０  変動検出手段
３１  流量判別手段
３２  流量積算手段
３３  流量異常判定手段
３４  警告表示手段
３５  電池
３６  流量記憶手段
３７  流量表示手段
３８  計測異常判別手段
【図２】
0004518120.tif 000002
【図３】
0004518120.tif 000003
【図４】
0004518120.tif 000004
【図５】
0004518120.tif 000005
【図６】
0004518120.tif 000006
【図７】
0004518120.tif 000007
【図８】
0004518120.tif 000008
【図９】
0004518120.tif 000009
【図１０】
0004518120.tif 000010
【図１】
0004518120.tif 000011